(57)【要約】【課題】被検査物の異常領域を漏れなく検出するとともに、異常領域の誤検出が抑制された表面撮像装置、表面検査装置、および表面撮像方法を提供すること。【解決手段】第１の照射角度を有するとともに被検査物に光を照射する第１の光源と、第１の照射角度よりも広い照射角度の第２の照射角度を有するとともに被検査物に光を照射する第２の光源と、第１の光源および第２の光源の各々から照射され被検査物で反射した反射光を受光することで被検査物を撮像する撮像部と、を含む表面撮像装置を用いた表面検査方法であって、制御部により、第１の光源からの光を照射して被検査物の第１の画像を取得した後、第２の光源からの光を照射して被検査物の第２の画像を取得するように撮像部を制御し、かつ第１の画像を用いて被検査物の表面の異常候補を抽出するとともに第２の画像を用いて異常候補が異常領域であるか否か判定する。【選択図】図５
2018115866.tif 000002
【特許請求の範囲】
【請求項１】
第１の照射角度を有するとともに、一方の斜面で反射した光の一部を他方の斜面へ入射可能な対向する斜面を有する被検査物に光を照射する第１の光源と、
前記第１の照射角度よりも広い照射角度の第２の照射角度を有するとともに前記被検査物に光を照射する第２の光源と、
前記第１の光源および前記第２の光源の各々から照射されて前記対向する各々の斜面で最初に反射された反射光、および前記第１の光源および前記第２の光源の各々から照射されて前記一方の斜面から前記他方の斜面に反射され前記他方の斜面でさらに反射された反射光の各々の反射光を受光することで前記被検査物を撮像する撮像部と、
を含む表面撮像装置。
【請求項２】
前記第１の光源は、光を発生する光発生部、および前記光発生部で発生した光を前記第１の照射角度の光束に変換するレンズを備え、
前記第２の光源は、前記第２の照射角度の光を発生する、リング状の発光部を有するリング照明である
請求項１に記載の表面撮像装置。
【請求項３】
前記被検査物の前記一方の斜面および前記他方の斜面は、前記撮像部の光軸に対し略４５度の角度をなす斜面である
請求項１または請求項２に記載の表面撮像装置。
【請求項４】
前記被検査物は、エンジンの吸気および排気のバルブが当接する円環状のシート面である
請求項１〜請求項３のいずれか１項に記載の表面撮像装置。
【請求項５】
バルブガイドに挿入される軸部と、前記軸部をバルブガイドに挿入した状態で前記シート面と前記撮像部との間の距離と同距離になるように軸部に配置され、かつ前記撮像部の撮像面側に予め定められた面積の模様が設けられた傘部と、を有する治具を用いて前記撮像部の撮像画像と実寸との対応の校正を行う
請求項４に記載の表面撮像装置。
【請求項６】
請求項１〜請求項５のいずれか１項に記載の表面撮像装置と、
前記第１の光源からの光を照射して前記被検査物の第１の画像を取得した後、前記第２の光源からの光を照射して前記被検査物の第２の画像を取得するように前記撮像部を制御し、かつ前記第１の画像を用いて前記被検査物の表面の異常候補を抽出するとともに前記第２の画像を用いて前記異常候補が異常領域であるか否か判定する制御部と、
を含む表面検査装置。
【請求項７】
前記制御部は、前記第１の画像における輝度値の分布により前記被検査物の表面の異常候補を抽出するとともに、前記第２の画像における前記異常候補に対応する領域の輝度値の分布により前記異常候補が異常領域であるか否か判定する
請求項６に記載の表面検査装置。
【請求項８】
前記被検査物が、エンジンの吸気および排気のバルブが当接する円環状のシート面とされ、
前記制御部は、円環状の前記第１の画像が矩形状の画像に変換された画像を用いて前記被検査物の表面の異常候補を抽出し、円環状の前記第２の画像が矩形状の画像に変換された画像を用いて前記異常候補が異常領域であるか否か判定する
請求項６または請求項７に記載の表面検査装置。
【請求項９】
第１の照射角度を有するとともに、一方の斜面で反射した光の一部を他方の斜面へ入射可能な対向する斜面を有する被検査物に光を照射する第１の光源と、前記第１の照射角度よりも広い照射角度の第２の照射角度を有するとともに前記被検査物に光を照射する第２の光源と、前記第１の光源および前記第２の光源の各々から照射されて前記対向する各々の斜面で最初に反射された反射光、および前記第１の光源および前記第２の光源の各々から照射されて前記一方の斜面から前記他方の斜面に反射され前記他方の斜面でさらに反射された反射光の各々の反射光を受光することで前記被検査物を撮像する撮像部と、を含む表面撮像装置を用いた表面検査方法であって、
制御部により、
前記第１の光源からの光を照射して前記被検査物の第１の画像を取得した後、前記第２の光源からの光を照射して前記被検査物の第２の画像を取得するように前記撮像部を制御し、かつ前記第１の画像を用いて前記被検査物の表面の異常候補を抽出するとともに前記第２の画像を用いて前記異常候補が異常領域であるか否か判定する
表面検査方法。
【発明の詳細な説明】
【技術分野】
【０００１】
本発明は、表面撮像装置、表面検査装置、および表面検査方法、例えばエンジンの吸気および排気のバルブが当接するシート面のように対向する斜面を有する被検査物の表面を撮像する表面撮像装置、表面検査装置、および表面検査方法に関する。
【背景技術】
【０００２】
検査装置のひとつとして、光を照射し被検査物からの反射光の光量を検出して、検出した光量に基づいて被検査物の表面の傷や欠陥等を検出する表面検査装置が知られている。
【０００３】
表面検査装置に関する従来技術としては、例えば特許文献１に開示された欠陥検査装置が挙げられる。特許文献１に開示された欠陥検査装置は、ワーク（被検査物）に定められた撮像ポイントに対し、同軸落射照明の光源とカメラとをその光軸をワークの法線の方向に対応させて配備し、撮像ポイントに対して限定された方位に別の光源を配備する。ワークについては、予めその配光特性により定まる正反射光の配光分布中で正反射光の強度の変化量が急峻になる範囲が特定されており、被検査面からの正反射光の進行方向のうち、配光分布中の特定された範囲にある方向がカメラの光軸に対応するように、光源の光軸方向が定められている。特許文献１では、このような構成を採用することにより、配光分布のばらつきが大きなワークを検査対象とする場合でも、被検査面の傾斜角度の変化に対する感度が高い反射光をカメラに入射させることができるので、凹凸欠陥を精度良く検出することができるとしている。
【先行技術文献】
【特許文献】
【０００４】
【特許文献１】特開２００８−２０２９４９号公報
【発明の概要】
【発明が解決しようとする課題】
【０００５】
ところで、表面検査装置に限らず検査装置一般においては、不良品の流出を避けるために、製品である被検査物の傷や欠陥等の異常領域を確実に検出することが基本である。しかしながら、特に被検査物の表面を検査する場合、さまざまな要因によって、被検査物の品質に対する影響がなく異常領域として検出する必要のない異物が付着する場合がある。
例えば、表面検査工程の前工程で行われた洗浄における残留洗浄液が乾燥し被検査物の表面に付着する場合である。特に光を照射し、被検査物からの反射光の光量を検出して表面を検査する表面検査装置の場合、このような付着物は一般に輝度値が低下するので異常領域として検出される可能性のある、いわば擬似的な異常領域として表面検査系に潜在する。
【０００６】
表面検査工程において、上記のような擬似的な異常領域を含めてすべての異常候補領域を排除してしまえば、被検査物の品質上の問題の発生は抑制されると考えられる。しかしながら、上記のような擬似的な異常領域を、本来の意味での異常領域（傷や欠陥等）とともに検出してしまうと、本来良品であるものも不良品として排除される可能性がある。そのため、被検査物の表面検査工程における歩留まりの大幅な低下をもたらす懸念もある。
【０００７】
この点、特許文献１に係る欠陥検査装置もワークの被検査面の凹凸欠陥を精度よく検出することを目的としているが、特許文献１に係る欠陥検査装置の照明系はあくまで平面状の被検査物を想定している。従って、シート面のように対向する斜面を有する被検査物の撮像には適用することができない。また、特許文献１に係る欠陥検査装置の照明系は、上記の擬似的な異常領域の問題に対応したものではない。
【０００８】
本発明は、上記事実を考慮して成されたもので、被検査物の異常領域を漏れなく検出するとともに、異常領域の誤検出が抑制された表面撮像装置、表面検査装置、および表面撮像方法を提供することを目的とする。
【課題を解決するための手段】
【０００９】
上記目的を達成するために、請求項１に記載の表面撮像装置は、第１の照射角度を有するとともに、一方の斜面で反射した光の一部を他方の斜面へ入射可能な対向する斜面を有する被検査物に光を照射する第１の光源と、前記第１の照射角度よりも広い照射角度の第２の照射角度を有するとともに前記被検査物に光を照射する第２の光源と、前記第１の光源および前記第２の光源の各々から照射されて前記対向する各々の斜面で最初に反射された反射光、および前記第１の光源および前記第２の光源の各々から照射されて前記一方の斜面から前記他方の斜面に反射され前記他方の斜面でさらに反射された反射光の各々の反射光を受光することで前記被検査物を撮像する撮像部と、を含むものである。
【００１０】
また、請求項２に記載の発明は、請求項１に記載の発明において、前記第１の光源は、光を発生する光発生部、および前記光発生部で発生した光を前記第１の照射角度の光束に変換するレンズを備え、前記第２の光源は、前記第２の照射角度の光を発生する、リング状の発光部を有するリング照明であるものである。
【００１１】
また、請求項３に記載の発明は、請求項１または請求項２に記載の発明において、前記被検査物の前記一方の斜面および前記他方の斜面は、前記撮像部の光軸に対し略４５度の角度をなす斜面であるものである。
【００１２】
また、請求項４に記載の発明は、請求項１〜請求項３のいずれか１項に記載の発明において、前記被検査物は、エンジンの吸気および排気のバルブが当接する円環状のシート面であるものである。
【００１３】
また、請求項５に記載の発明は、請求項４に記載の発明において、バルブガイドに挿入される軸部と、前記軸部をバルブガイドに挿入した状態で前記シート面と前記撮像部との間の距離と同距離になるように軸部に配置され、かつ前記撮像部の撮像面側に予め定められた面積の模様が設けられた傘部と、を有する治具を用いて前記撮像部の撮像画像と実寸との対応の校正を行うものである。
【００１４】
上記目的を達成するために、請求項６に記載の表面検査装置は、請求項１〜請求項５のいずれか１項に記載の表面撮像装置と、前記第１の光源からの光を照射して前記被検査物の第１の画像を取得した後、前記第２の光源からの光を照射して前記被検査物の第２の画像を取得するように前記撮像部を制御し、かつ前記第１の画像を用いて前記被検査物の表面の異常候補を抽出するとともに前記第２の画像を用いて前記異常候補が異常領域であるか否か判定する制御部と、を含むものである。
【００１５】
また、請求項７に記載の発明は、請求項６に記載の発明において、前記制御部は、前記第１の画像における輝度値の分布により前記被検査物の表面の異常候補を抽出するとともに、前記第２の画像における前記異常候補に対応する領域の輝度値の分布により前記異常候補が異常領域であるか否か判定するものである。
【００１６】
また、請求項８に記載の発明は、請求項６または請求項７に記載の発明において、前記被検査物が、エンジンの吸気および排気のバルブが当接する円環状のシート面とされ、前記制御部は、円環状の前記第１の画像が矩形状の画像に変換された画像を用いて前記被検査物の表面の異常候補を抽出し、円環状の前記第２の画像が矩形状の画像に変換された画像を用いて前記異常候補が異常領域であるか否か判定するものである。
【００１７】
上記目的を達成するために、請求項９に記載の表面検査方法は、第１の照射角度を有するとともに、一方の斜面で反射した光の一部を他方の斜面へ入射可能な対向する斜面を有する被検査物に光を照射する第１の光源と、前記第１の照射角度よりも広い照射角度の第２の照射角度を有するとともに前記被検査物に光を照射する第２の光源と、前記第１の光源および前記第２の光源の各々から照射されて前記対向する各々の斜面で最初に反射された反射光、および前記第１の光源および前記第２の光源の各々から照射されて前記一方の斜面から前記他方の斜面に反射され前記他方の斜面でさらに反射された反射光の各々の反射光を受光することで前記被検査物を撮像する撮像部と、を含む表面撮像装置を用いた表面検査方法であって、制御部により、前記第１の光源からの光を照射して前記被検査物の第１の画像を取得した後、前記第２の光源からの光を照射して前記被検査物の第２の画像を取得するように前記撮像部を制御し、かつ前記第１の画像を用いて前記被検査物の表面の異常候補を抽出するとともに前記第２の画像を用いて前記異常候補が異常領域であるか否か判定するものである。
【発明の効果】
【００１８】
本発明によれば、被検査物の異常領域を漏れなく検出するとともに、異常領域の誤検出が抑制された表面撮像装置、表面検査装置、および表面撮像方法を提供することが可能となるという効果を奏する。
【図面の簡単な説明】
【００１９】
【図１】実施の形態に係る表面検査装置１０Ａの構成の一例を示す図である。
【図２】実施の形態に係る表面検査装置の制御部の構成の一例を示すブロック図である。
【図３】実施の形態に係る表面検査装置１０Ｂの構成の一例を示す図である。
【図４】（ａ）は同軸落射照明を被検査物に照射した場合の正常領域、ワレ、およびシミにおける反射光を示す模式図、（ｂ）は（ａ）に対応した輝度値を示す模式図、（ｃ）はリング照明を被検査物に照射した場合の正常領域、ワレ、およびシミにおける反射光を示す模式図、（ｄ）は（ｃ）に対応した輝度値を示す模式図である。
【図５】実施の形態に係る表面検査装置による検査処理の流れを示すフローチャートである。
【図６】実施の形態に係る表面検査装置による異常候補抽出処理の流れを示すフローチャートである。
【図７】（ａ）は、実施の形態に係る校正治具の平面図および側面図であり、（ｂ）は、光軸がずれている場合の校正パターンの撮像画像の例である。
【図８】（ａ）は実施の形態に係る校正治具をバルブガイドに挿入する様子を示す図であり、（ｂ）は実施の形態に係る校正治具をバルブガイドに挿入完了した状態を示す図である。
【発明を実施するための形態】
【００２０】
以下、図１ないし図８を参照し、本発明の実施の形態の一例について詳細に説明する。
なお、本実施の形態では、エンジンの吸気および排気のバルブ（以下、単にバルブという。）が挿入されるエンジンシリンダヘッドに設けられた、バルブが当接するバルブシートの面（以下、「シート面２２」）を被検査物とした例について説明する。また、シート面２２は、内面が円錐状とされ、対向する斜面を有する形状の被検査物の一例である。
【００２１】
本実施の形態に係る表面検査装置は、表面検査装置１０Ａおよび表面検査装置１０Ｂ（以下、総称する場合は「表面検査装置１０」という）の２種の表面検査装置を含んで構成され、本実施の形態に係る表面検査方法では、表面検査装置１０Ａを用いた検査、および表面検査装置１０Ｂを用いた検査の２段階の検査から構成されている。表面検査装置１０Ａと表面検査装置１０Ｂとは撮像に用いる照明系が異なり、各々照明系が異なる表面撮像装置２０Ａ、表面撮像装置２０Ｂ（以下、総称する場合は「表面撮像装置２０」）を搭載している。表面検査装置１０Ａと表面検査装置１０Ｂとは別の装置として構成してもよいし、１つの装置に２種の照明系を搭載させた一体型として構成してもよい。図１は本実施の形態に係る表面撮像装置２０Ａを含む表面検査装置１０Ａの概略構成を示す図であり、図３は本実施の形態に係る表面撮像装置２０Ｂを含む表面検査装置１０Ｂの概略構成を示す図である。
【００２２】
図１に示すように、表面検査装置１０Ａは、撮像部としてのカメラ１２と、光源１４Ａ、レンズ１６、および導光部としてのハーフミラー１８を有する照明部５０Ａと、表面検査装置１０Ａの全体を制御する制御部２４とを備えている。カメラ１２、および照明部５０Ａを含んで表面検査装置１０Ａの表面撮像装置２０Ａが構成されている。
【００２３】
カメラ１２は、エンジンの吸気および排気のバルブが当接するシート面２２を被検査物として撮像する。シート面２２は、一方から他方に向かって径が徐々に小さくなる円錐状に形成された面とされており、カメラ１２は、シート面２２の一方側から撮像するようになっている。また、カメラ１２は、結像レンズ１１によりシート面に焦点をあわせた画像を撮像する。
【００２４】
なお、本実施の形態では、被検査物としてのシート面２２は、一例としてバルブの移動方向と直交する面に対して４５度の斜面を有している。また、以下の説明では、バルブの移動方向を垂直方向、バルブの移動方向と直交する面を水平面として説明する。
【００２５】
照明部５０Ａを構成する光源１４Ａは被検査物としてのシート面２２を照射する第１照明光（以下、「同軸落射照明」という場合がある）の発生源である。光源１４Ａの形態は特に限定されないが、本実施の形態ではＬＥＤ（Ｌｉｇｈｔ  Ｅｍｉｔｔｉｎｇ  Ｄｉｏｄｅ：発光ダイオード）を用いたスポット光源とされている。ハーフミラー１８は、カメラ１２とシート面２２との間に設けられている。図１に示すように、光源１４Ａから照射された光はレンズ１６を介してハーフミラー１８に照射され、ハーフミラー１８によって反射されて被検査物のシート面２２に照射される。このとき、レンズ１６は、シート面２２に対して一定の広がり角度を有するもった第１照明光を照射するように光を集光する。すなわち第１照明光は、複数の照射角度の光線の集合である。
【００２６】
光源１４Ａからシート面２２に照射された光はシート面２２で垂直方向に反射され、ハーフミラー１８を透過してカメラ１２に入射される。このカメラ１２に入射した光によってシート面２２が撮像され、後述の画像Ａが取得される。
【００２７】
次に、図２を参照して、本実施の形態に係る制御部２４について説明する。図２は、本実施の形態に係る表面検査装置１０Ａの制御部２４の概略構成を示すブロック図である。
【００２８】
図２に示すように、制御部２４は、ＣＰＵ２４Ａ、ＲＯＭ２４Ｂ、ＲＡＭ２４Ｃ、およびＩ／Ｏ（入出力インターフェース）２４Ｄがバス２４Ｅに接続されたコンピュータで構成されている。
【００２９】
Ｉ／Ｏ２４Ｄには、カメラ１２および照明部５０Ａ（図２では、後述の照明部５０Ｂと併せて「照明部５０」として図示されている）が接続されており、制御部２４の制御により照明部５０Ａが発光され、カメラ１２による撮像が行われる。
【００３０】
ＲＯＭ２４Ｂは、表面検査装置１０Ａの全体を統括制御するためのプログラム、あるいはシート面２２を撮像して撮像結果に基づいてシート面の表面の欠陥を検出するためのプログラムである検査処理プログラム等を記憶する記憶媒体である。ＲＡＭ２４Ｃは、ＣＰＵ２４ＡがＲＯＭ２４Ｂに記憶された検査処理プログラム等を展開して実行するための領域である。
【００３１】
次に、図３を参照して表面検査装置１０Ｂについて説明する。図３に示すように、表面検査装置１０Ｂは、撮像部としてのカメラ１２と、光源１４Ｂを有する照明部５０Ｂと、表面検査装置１０Ｂの全体を制御する制御部２４とを備えている。カメラ１２、および照明部５０Ｂを含んで表面検査装置１０Ｂの表面撮像装置２０Ｂが構成されている。
【００３２】
カメラ１２、制御部２４の機能は上記の表面検査装置１０Ａと同様なので、同様の構成に同じ符号を付し、詳細な説明を省略する。
【００３３】
照明部５０Ｂを構成する光源１４Ｂは被検査物としてのシート面２２を照明する第２照明光の発生源である。本実施の形態に係る第２照明光は、上記照明部５０Ａによる第１照明光と比較して広い照射角度を有している。光源１４Ｂの形態は特に限定されないが、本実施の形態ではＬＥＤを用いたリング状の発光部を有する光源とされている。すなわち、光源１４Ｂは、カメラ１２の光軸Ｃを内部に含むリング形状を有している。図３に示すように、光源１４Ｂから照射された光は直接被検査物であるシート面２２に照射される。図３に示すように、第２照明光は第１照明光と比較して、さらに広い照射角度の光線の集合である。
【００３４】
光源１４Ｂからシート面２２に照射された光は、シート面２２で垂直方向に反射されてカメラ１２に入射されることにより、カメラ１２でシート面２２が撮像され、後述の画像Ｂが取得される。
【００３５】
ここで、本実施の形態に係る表面検査装置１０で想定している異常領域（欠陥箇所）について説明する。表面検査装置１０の被検査物、特にシート面２２のような被検査物の異常領域の態様としては、ピンホールやワレ（クラック）が代表的な態様である。この点、同軸落射照明を採用した表面検査装置１０Ａは、外乱光の影響に強く、シート面２２上に発生するピンホールやワレなどの異常を感度良く捉えることができる光学系である。
【００３６】
また、同軸落射照明光の被検査物への入射光の広がり角が比較的小さく抑えられていることから、形状による照明の反射方向の変化によりピンホールやワレなど大きな形状変化からワレの周縁部のような微細な形状変化まで感度良く捉えることができる。さらに、金属反射面のような平滑面とは異なる散乱面についても、カメラ１２の方向への反射光強度を低下させることにより、撮像された画像においてピンホールやワレなどの異常領域の明るさ（輝度）と正常部との明るさに差を生じさせている。以上のように、表面検査装置１０Ａは、ピンホールやワレなどの異常領域の特定に好適に用いることができる。
【００３７】
表面検査装置１０Ａでは、上述したように、被検査物であるシート面２２に対して光源１４Ａ、レンズ１６、およびハーフミラー１８を用いて同軸落射照明を行っている。シート面２２に上方から照射された照明は４５°の角度を持つシート面２２で反対側のシート面２２へと反射され、さらにそのシート面２２で上方へと反射されてカメラ１２の撮像素子へと入射する。この際、シート面２２の正常な面は上記反射により明るく撮像される一方、ピンホールやワレなどの異常領域では、照明光の一部がカメラ１２へ反射されないので相対的に暗く撮像される。撮像された画像から輝度の情報を画像処理することにより、異常領域が検出される。
【００３８】
しかしながら、表面検査装置１０Ａを用いた場合でも、本来異常として検出する必要のないシミを異常として誤検出してしまうことである。すなわち、バルブ等の生産工程では、シート面２２の検査工程の前工程として、加工により生じた切粉などを洗浄して洗い流す洗浄工程が設けられる場合がある。この洗浄工程では、洗浄液を用いて加工により生じた切粉などを洗い流した後に、洗浄液を温風により吹き飛ばしている。この吹き飛ばしにより大部分の洗浄液は取り除かれるが、取り除けなかった洗浄液がシート面２２上に残留する場合がある。この残留した洗浄液が乾燥すると、不揮発性の成分が粉状に付着してシミとなる。このシミは、シート面２２の品質に影響しないため異常として検出する必要はない。ところが、このシミの部分では照射光が散乱されるため、照射した照明光がカメラ１２に入射される割合が減少し、正常面に比べて暗く撮像され異常領域として認識される場合がある。シミを異常領域として検出する誤検出は生産の効率を低下させる原因となるため、極力減らすことが求められる。
【００３９】
そこで、表面検査装置１０Ａによってシート面２２に形成された異常領域（ワレ）とシミ部分を実際に撮像し、取得した画像Ａについて検討した。その結果、表面検査装置１０Ａによれば、異常領域は正常領域と比較して暗く撮像されるので、例えば画像Ａにおける輝度値により両者を明瞭に区別することができることを改めて確認した。一方、表面検査装置１０Ａによると、シミも正常領域と比較して暗く撮像される場合が多いことが判明した。上述したように、シミは洗浄液が取り除かれずに乾いた後の乾燥した付着物が暗く撮像されたものであり、異常領域ではない。表面検査装置１０Ａを用いた輝度値に基づく検査アルゴリズムでは、このシミをワレ等の異常領域として誤検出する懸念がある。
【００４０】
上記の誤検出を抑制するために、本実施の形態に係る表面検査方法では、以下の手順を採用している。すなわち、まず、照明部５０Ａを搭載した表面検査装置１０Ａによる撮像を実行し、その結果取得された画像Ａにより、ピンホールやワレに加えてシミも含めた異常候補を抽出する。上述したように、同軸落射照明である照明部５０Ａは比較的照射広がり角の小さい照明光を被検査物に照射するので、シミも含めた異常候補を漏れなく検出することができる。
【００４１】
次に、照明部５０Ｂを搭載した表面検査装置１０Ｂによる撮像を実行しその結果取得された画像Ｂにより、画像Ａにおいて抽出された異常候補の各々が、本来の意味での異常領域であるか単なるシミであるかを峻別する。上述したように、照明部５０Ｂは比較的照射広がり角の大きい照明光を被検査物に照射するので、異常領域（ワレ等）とシミとを精度良く区別することが可能である。
【００４２】
表面検査装置１０Ｂによるリング照明は、同軸落射照明に比べて照射広がり角度が大きい照明であるが、このリング照明による照明光も同軸落射照明と同様にシート面２２の対向する面において２回の反射を繰り返した後カメラ１２へ到達する光路を有する。リング照明を用いた場合、ピンホールやワレなどの大きな形状変化を有する領域は同軸落射照明と同様に反射光がカメラ１２へ戻らず暗く撮像される。一方、形状変化が小さいワレの周縁部等は、照射角度の広い照明による反射光がカメラ１２へ入射するので、正常領域と同様に明るく撮像される。入射した照明光に対して散乱面となるシミ部分でも、複数方向からの入射光の散乱成分が重畳され、カメラ１２へ戻る光量が増える。つまり、同軸落射照明に比べてシミ部分が明るく（輝度値が高く）撮像される。その結果、シミ部分の輝度値が正常な領域の輝度値に近づくので、シミ部分を正常な領域と判定しやすくなる。以上の原理により、シミに対してピンホールやワレとの区別が可能な輝度値を持つ画像が撮像される。
【００４３】
以下、図４を参照して、同軸落射照明による被検査物表面における反射と、リング照明による被検査物表面における反射の相違について説明する。図４（ａ）は同軸落射照明を被検査物に照射した場合の正常領域、ワレ部分およびシミ部分における反射光を示す模式図、図４（ｂ）は図４（ａ）に対応した輝度値を示す模式図、図４（ｃ）はリング照明を被検査物に照射した場合の正常領域、ワレ部分およびシミ部分における反射光を示す模式図、図４（ｄ）は図４（ｃ）に対応した輝度値を示す模式図である。
【００４４】
図４では、被検査物として金属面を想定しており、抽出対象として正常部と対比したワレ、および残留洗浄液によるシミを想定している。図４（ａ）に示すように、正常領域に同軸落射照明を照射すると、正常領域では上方からの入射光がカメラ１２の方向へ正反射されるので、明るく撮像され輝度値も高くなる。ワレ部分ではカメラ１２の方向へ反射される照射光はほとんどなく低い輝度値で撮像される。シミ部分ではシミによる照射光の散乱が発生するため、大部分の反射光がカメラ１２の方向に向かわず一部の照射光がカメラ１２の方向へ反射される。
【００４５】
シミ部分で照射光が散乱される理由は、シミの原因である乾燥した洗浄液成分の粒子サイズが光の波長程度の大きさを持つためと推察される。カメラ１２で撮像された画像の明るさは散乱度合いにより異なり、散乱度合いは残った洗浄液の種類や厚み等によって異なると考えられる。つまり、カメラ１２で撮像された画像の明るさは、洗浄液の種類や厚みを反映していると考えられる。
【００４６】
以上を勘案して正常領域、ワレ、およびシミの各部分の相対的な輝度値の違いを模式的に示したのが図４（ｂ）である。図４（ｂ）に示すように、ワレ、シミはともに輝度値が低下しており、これら相互の判別が困難となる場合も想定される。
【００４７】
これに対して、リング照明のように広がり角度が大きい照明の場合、図４（ｃ）に示すように、正常領域では異なる方向からの入射光がそれぞれ正反射され、一部がカメラ１２の方向に反射される。ワレ部分では同軸落射照明と同様にカメラ１２の方向へ反射される光はほとんどない。シミ部分では、異なる方向から入射した光のそれぞれが散乱され、それぞれの散乱成分のうちカメラ１２の方向へ散乱された光が画像として撮像される。つまり、同軸落射照明による照射光と比較して、リング照明による照射光ではさらに広い広がり角をもっているため、カメラ１２の方向に反射される散乱光の成分が相対的に多くなる。
【００４８】
図４（ｂ）に示す各部分の輝度値と、図４（ｄ）に示す各部分の輝度値とを比較すると、図４（ｂ）に示す同軸落射照明では、シミ部分の輝度値がワレ部分の輝度値に近い値となっているが、図４（ｄ）に示すリング照明では、シミ部分の輝度値が正常領域に近い輝度値へと変化していることがわかる。本実施の形態に係る表面検査方法では、この輝度値の変化を画像の特徴量として用いることにより、シミをワレ等の異常領域から区別して検出している。
【００４９】
実際、本実施の形態に係る表面検査装置１０でワレおよびシミを発生させたシート面２２を撮像した画像、つまり、表面検査装置１０Ａによるワレの画像、表面検査装置１０Ｂによる同じワレの画像、および表面検査装置１０Ａによるシミの画像、表面検査装置１０Ｂによる同じシミの画像を比較検討した結果、以下の知見を得た。
【００５０】
すなわち、表面検査装置１０Ａによるワレの画像と表面検査装置１０Ｂによるワレの画像とを比較した結果、表面検査装置１０Ａ（同軸落射照明）による撮像画像においても、表面検査装置１０Ｂ（リング照明）による撮像画像においても、ワレ部分は正常領域と比較して暗く、輝度値が低下することが確認された。従って、ワレは表面検査装置１０Ａによっても、表面検査装置１０Ｂによっても識別することができる。
【００５１】
一方、表面検査装置１０Ａ（同軸落射照明）によるシミの撮像画像においては、上述したように、シミ部分が暗く輝度値が低下することが確認された。これに対し、表面検査装置１０Ｂ（リング照明）によるシミの撮像画像においては、シミ部分で周縁部、内側ともに明るく撮像されており、シミ部分の輝度値とシート面２２の正常領域の輝度値との差が小さくなることが確認された。従って、表面検査装置１０Ａによる撮像画像では正常領域との輝度値の差が大きいために、シミ部分が異常領域と誤判定される懸念があったが、表面検査装置１０Ｂによる撮像画像では輝度値が正常領域に近づくためにシミ部分が正常領域と判断され、誤判定がなくなる可能性が極めて高くなることが確認された。
【００５２】
上記の検討によれば、表面検査装置１０Ｂによってシート面２２を撮像し、得られたシート面２２の画像に対し輝度値を用いた画像処理を行って特徴量を抽出し、該特徴量に基づく判定を行うことにより、ピンホールやワレの異常領域をシミと区別して検出することが可能であるともいえる。しかしながら、上記の検討によれば、表面検査装置１０Ｂ（リング照明）で撮像されたワレの画像は、表面検査装置１０Ａ（同軸落射照明）で撮像されたワレの画像に比べて周縁部の輝度値が上がり、異常領域として判定するのに十分な程度に輝度値の低下が得られない可能性も排除できない。この場合、表面検査工程において欠陥のあるシート面２２が見逃されることになるので、何らかの対応が必要である。
【００５３】
そこで、本実施の形態に係る表面検査方法では２段階の検査工程を採用している。すなわち、まず表面検査装置１０Ａによる表面検査を行い、異常の可能性のある部分（異常候補）を漏れなく抽出する。この異常候補の抽出は、シミの少なくとも一部が混入することを許容する一方、異常領域（ワレ等）は極力漏らさず抽出する。次に、表面検査装置１０Ｂによる表面検査を行い、本来の意味での異常領域を残しつつ異常候補からシミを排除する。以上の本実施の形態に係る表面検査方法によれば、被検査物の異常領域を漏れなく検出するとともに、異常領域の誤検出が抑制された表面撮像装置、表面検査装置、および表面撮像方法が提供される。
【００５４】
次に、図５および図６を参照して、本実施の形態に係る検査処理について説明する。図５は、本実施の形態に係る検査処理プログラムの処理の流れを示すフローチャートである。また、図６は、本実施の形態に係る検査処理における画像Ａの解析処理（異常候補抽出処理）プログラムの処理の流れを示すフローチャートである。図５および図６に示す処理は、ユーザにより実行開始の指示がなされると、ＣＰＵ２４ＡがＲＯＭ２４Ｂ等の記憶手段から本検査処理プログラムを読み込み、ＲＡＭ２４Ｃ等に展開し実行する。なお、本実施の形態では、異常候補抽出処理プログラムを検査処理プログラムのサブルーチンとして記述しているが、これに限られず、一連のプログラムとして記述してもよい。
【００５５】
なお、本実施の形態では、本検査処理プログラムをＲＯＭ２４Ｂ等に予め記憶させておく形態を例示して説明する。しかしながら、これに限られず、本検査処理プログラムがコンピュータにより読み取り可能な可搬型の記憶媒体に記憶された状態で提供される形態、有線または無線による通信手段を介して配信される形態等を適用してもよい。また、本実施の形態では、制御部２４が実行する本検査処理を、コンピュータがプログラムを実行することにより行うソフトウエア処理として説明するが、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウエアで行う処理としてもよい。あるいは、ソフトウエアおよびハードウエアの双方を組み合わせた処理としてもよい。
【００５６】
図５を参照して、まずステップＳ１００で表面検査装置１０Ａによる撮像を実行する。
すなわち、制御部２４が照明部５０Ａおよびカメラ１２を制御してシート面２２を撮像し、画像Ａを取得する。より具体的には、光源１４Ａから出射された第１照明光がハーフミラー１８によって反射され、シート面２２に照射される。シート面２２に照射された第１照明光はレンズ１６によって多方向の光線を含む照射光とされているため、図１に示すように、各方向に反射され、一部はハーフミラー１８の方向へ反射されてハーフミラー１８を介してカメラ１２に入射される。画像Ａは、シート面２２の形状を反映して円環状に撮像される（以下、「円環画像」）。
【００５７】
次のステップＳ１０２では、異常候補抽出処理を実行する。本実施の形態に係る異常候補抽出処理は、画像Ａを解析してシート面２２における異常候補を抽出する処理である。
【００５８】
図６を参照して、異常候補抽出処理について説明する。
【００５９】
まず、ステップＳ２００で、画像変換、すなわち円環画像である画像Ａを矩形状の画像（以下、「矩形画像」）に変換する。シート面２２の加工時の切削痕は、シート面の円周に沿った方向に発生するが、シート面２２の画像を矩形状にすることにより、切削痕を直線に変換してノイズとして除去し易くすることができる。また、矩形状にすることにより、以降の画像処理の対象部分を絞ることができる。むろん、円環画像のままでも以降の処理は可能であり、この場合は本ステップを省略する。
【００６０】
次のステップＳ２０２では、矩形画像に対してノイズの除去処理を行う。ノイズ除去は、例えば、縦長の１×５移動平均フィルタ（シート面２２の円周方向に対して直交する方向に長い移動平均フィルタ）を用いて切削痕による影響をノイズとして除去する。なお、ノイズ除去を行う画像処理は周知の技術を適用可能であり、また移動平均フィルタ以外の画像処理によってノイズを除去してもよい。
【００６１】
次のステップＳ２０４では、ノイズの除去された矩形画像に対して、シェーディング補正を行う。このシェーディング補正により、シート面２２の円周方向の輝度ムラが補正される。例えば、２１１×９（超横長）メジアンフィルタ（シート面２２の円周方向に長いメジアンフィルタ）を用いてシェーディング補正を行う。この輝度ムラの補正により、ピンホールやクラック等の欠陥部分を画像上で鮮明にすることができる。なお、シェーディング補正は周知の技術を適用可能であり、またメジアンフィルタを用いる画像処理ではなく他のフィルタ等を用いた画像処理を適用してもよい。
【００６２】
次のステップＳ２０６では、シェーディング補正が行われた矩形画像に対して異常候補の抽出処理を行う。異常候補の抽出は、例えば、画像情報の画素値（輝度値）に対する予め定めた閾値を用いて異常領域の有無や大きさ等を判定し、異常領域があるか否かを判定して行う。その後、検査処理プログラムのステップＳ１０４に戻る。
【００６３】
ステップＳ１０４では、上記の異常候補抽出処理の結果、異常候補が抽出されたか否か（異常候補があるか否か）について判定する。当該判定が肯定判定となった場合にはステップＳ１０６に移行する一方、否定判定となった場合にはステップＳ１１０に移行し、「異常候補なし」の検査結果を出力して、本検査処理プログラムを終了する。
【００６４】
ステップＳ１０６では、表面検査装置１０Ｂによる撮像を実行する。すなわち、制御部２４が照明部５０Ｂおよびカメラ１２を制御してシート面２２を撮像し、画像Ｂを取得する。より具体的には、光源１４Ｂから出射された第２照明光がシート面２２に照射される。シート面２２に照射された第２照明光は第１照明光より大きな照射広がり角とされているため、図３に示すように第１照明光よりも広い範囲に反射され、一部がカメラ１２に入射される。画像Ｂは、シート面２２の形状を反映して円環画像となっている。
【００６５】
次のステップＳ１０８では、画像Ｂによる判定を行う。本実施の形態に係る画像Ｂによる判定は、ステップＳ１０２で抽出された異常候補が本来の意味の異常領域であるか、それともシミのような擬似的な異常領域（擬似異常領域）であるかの判定である。換言すれば、ステップＳ１０８における画像Ｂによる判定は、異常候補についてのみ実行する。この異常領域か擬似異常領域であるかの判定は、図４で説明したように、例えばワレの輝度値とシミの輝度値とを判別する輝度値の閾値を予め設定しておき、閾値に対する大小関係から判別してもよい。画像Ｂによる判定後、さらに画像Ｂによる判定結果と画像Ａによる判定結果との論理積を演算してもよい。このことにより、異常領域か否かの判断がより確実になる。
【００６６】
次のステップＳ１１０では、検査の結果、すなわち最終的に異常領域が存在するか否か、存在するとすればどの異常候補の位置なのかを示す情報を出力し、本検査処理プログラムを終了する。
【００６７】
なお、上記の検査処理において、表面撮像装置２０Ａおよび表面撮像装置２０Ｂと被検査物（例えば、シート面２２）との相対的な位置は固定されている。このため、画像Ａと画像Ｂとの間に位置のずれはないので、画像Ａで抽出された異常候補の画像中の位置情報を画像Ｂの解析でもそのまま用いることができる。このことにより検査時間の短縮効果も期待される。
【００６８】
＜表面検査装置の校正＞
次に、図７および図８を参照して、上述した本実施の形態に係る表面検査装置１０（表面検査装置１０Ａ、表面検査装置１０Ｂ）の校正（キャリブレーション）について説明する。表面検査装置１０を用いた表面検査では、表面検査装置１０Ａ、あるいは表面検査装置１０Ｂで撮像された画像Ａ、あるいは画像Ｂにおける高精度な寸法計測が要求される場合がある。高精度な寸法計測を実現するためには、表面検査の対象である被検査物（例えばシート面２２）とカメラ１２とを配置した状態において、シート面２２におけるカメラ画素分解能（１画素と実際の寸法との対応）を正しく校正しておく必要がある。そのため、本実施の形態では寸法校正のための治具（以下、「校正治具」）を用いている。なお、本実施の形態に係る校正治具は、表面検査装置１０Ａと１０Ｂとで共通に用いられる。
【００６９】
高精度の寸法計測の前提として、バルブシートの当たり部分（シート面２２）の円盤とカメラ１２の光軸とが垂直となり、カメラ１２とバルブシートとが正対して撮像されるように位置決めすることが重要である。通常被検査物には基準となる位置決め用の穴が設けられ、高い寸法精度での加工が施されているが、カメラ１２の取り付けのネジの遊び等のために機械的な位置決めだけでは精度よく位置決めを行うことが困難な場合もある。そのため、カメラ１２の設置後の撮像画像を用いた高精度な位置決め、および高精度な寸法校正が求められる。
【００７０】
本実施の形態に係るシート面２２の高さにおけるカメラ１２の画素分解能の校正では、カメラ１２側の面に寸法が既知の直径の同心円が描画された校正パターン（模様）ＣＰを備えた校正治具３０を用いている。校正治具３０をシート面２２の高さにカメラ１２と対向して配置し、カメラ１２によって該校正パターンＣＰを撮像し、取得した撮像画像の画素数から画素分解能を校正する。なお、本実施の形態では同心円状の校正パターンＣＰを例示して説明するが、これに限られず、矩形等の校正パターンとしてもよい。
【００７１】
校正治具３０は、エンジンヘッドのバルブガイドの加工精度が高いことを利用して、このバルブガイドに挿通される軸部３４と、校正治具３０の設置状態において、バルブガイドから予め定められた間隔だけ離間した位置に加工されるシート面２２の位置に配置される円盤(傘部３２）とを備えている。傘部３２のカメラ１２側の面が上記校正パターンＣＰとされている。さらに、校正治具３０には軸部３４が傘部３２を突き抜けた位置に光軸調整用の突出部３３が設けられている。そして、カメラ１２の位置決めを行う際には、カメラ１２による撮像画像において、突出部３３の先端と傘部３２の同心円の中心とが一致するようにカメラ１２の光軸を調整することで、カメラ１２を正対して位置決めすることが可能となる。
【００７２】
図７（ａ）は被検査物をシート面２２とした場合の校正治具３０の一例を示す平面図（上側の図）および側面図（下側の図）であり、図７（ｂ）は校正治具３０を表面検査装置１０にセットした状態において表面撮像装置２０と校正治具３０との光軸がずれている場合の校正パターンＣＰの撮像画像の一例である。また、図８（ａ）は校正治具３０をエンジンシリンダヘッドのバルブガイド３８に挿入する際の途中の状態を示した図であり、図８（ｂ）は校正治具３０のバルブガイド３８への挿入が完了した状態を示した図である。
【００７３】
図７（ａ）に示すように、本実施の形態に係る校正治具３０はバルブに類似する形状とされ、傘部３２、軸部３４、突出部３３および段差部３６を備えている。図７（ａ）の平面図に示すように、傘部３２の撮像面側には、同心円状にレーザマーキングが施された校正パターンＣＰが備えられている。該同心円の寸法（直径）は既知であり、カメラ１２による撮像画像において、該同心円に含まれる画素数を予め定めておいた基準値と比較して、画素分解能を校正する。また、傘部３２の直径はシート面２２の直径よりも小さくされており、カメラ１２による撮像時にシート面２２の全面が撮像可能な大きさとされている。
【００７４】
軸部３４には段差部３６が設けられており、傘部３２に近い方の径が太く、傘部３２から遠い方の径が細い、異なる径の軸を有する。本実施の形態では、校正治具３０をバルブガイド３８に挿入したときに、段差部３６がバルブガイド３８の端部（ステムシールが打ち込まれるエンジンシリンダヘッドに加工された円ボスの端部）４０に当接するようになっている。また、軸部３４の段差部３６がバルブガイド３８の端部４０に当接した状態で、傘部３２の撮像面側とシート面２２の中央位置（図８（ｂ）に示す一点鎖線）との高さが一致するようになっている。すなわち、校正治具３０は、軸部３４をバルブガイド３８に挿入して段差部３６がバルブガイド３８の端部４０に当接した状態で、傘部３２の撮像面側とカメラ１２との間の距離と、シート面２２の中心位置とカメラ１２との間の距離とが等しくなる。
【００７５】
一方、本実施の形態では突出部３３を用いてカメラ１２の光軸調整を行う。図７（ｂ）は、傘部３２に描画された同心円（校正パターンＣＰ）の撮像画像の一例を示している。
図７（ｂ）に示すように、突出部３３のカメラ１２側の先端には十字線が設けられており、この十字線と校正パターンＣＰの中心とが一致するようにカメラ１２の光軸を調整することで、カメラ１２を正対して位置決めする、すなわちカメラ１２の光軸の適正化が可能となる。
【００７６】
ここで、本実施の形態では、校正治具３０をバルブガイド３８に挿入したときに、段差部３６がバルブガイド３８の端部４０に当接して、傘部３２の撮像面側とシート面２２の中央位置との高さを一致させる構成としたが、これに限られない。例えば、傘部３２がシート面２２の中央位置に当接する直径に設定して、傘部３２とシート面２２を当接することで、段差部３６を設けることなく、傘部３２の撮像面側とシート面２２の中央位置との高さを一致させてもよい。
【００７７】
なお、上記の実施の形態では、被検査物としてエンジンシリンダヘッドに設けられたシート面２２を一例として挙げて説明したが、被検査物はこれに限るものではない。被検査物としては、対向する面が斜面とされて一方の斜面で反射した光が他方の斜面へ入射可能な斜面を有するものであればよい。
【００７８】
また、上記の実施の形態において、カメラ１２の位置と照明部５０の位置との関係は、高さ方向（図１、図３において紙面上下方向）で逆の位置関係となるようにしても上記の実施の形態と同様の作用を得ることができる。
【００７９】
また、上記の実施の形態の表面撮像装置２０Ａでは、ハーフミラー１８を備えた構成としたが、これに限るものではない。例えば、ハーフミラー１８の代わりにビームスプリッタを適用してもよい。
【符号の説明】
【００８０】
１０、１０Ａ、１０Ｂ  表面検査装置
１１    結像レンズ
１２    カメラ
１４Ａ、１４Ｂ  光源
１６    レンズ
１８    ハーフミラー
２０、２０Ａ、２０Ｂ  表面撮像装置
２２    シート面
２４    制御部
２４Ａ  ＣＰＵ
２４Ｂ  ＲＯＭ
２４Ｃ  ＲＡＭ
２４Ｄ  Ｉ／Ｏ
３０    校正治具
３２    傘部
３３    突出部
３４    軸部
３６    段差部
３８    バルブガイド
４０    端部
５０Ａ、５０Ｂ  照明部
ＣＰ    パターン
【図１】
2018115866.tif 000003
【図２】
2018115866.tif 000004
【図３】
2018115866.tif 000005
【図４】
2018115866.tif 000006
【図５】
2018115866.tif 000007
【図６】
2018115866.tif 000008
【図７】
2018115866.tif 000009
【図８】
2018115866.tif 000010